(57)【要約】【課題】浴室の洗い場のスペースを広く取ることができる洗い場カウンターを提供する。【解決手段】浴室の壁面Ｗに接して設けられ、カウンター部２と前面板１と左右側面板３１、３２とからなり、該前面板１は、左右側面板３１、３２に設けられた軸受け４に支承される回転軸５を中心に回動自在に軸支され、該前面板１は垂直状態に設置されたときはカウンター部２のエプロンとして機能するとともに、回動されて水平状態に設置されたときは前面板１の裏面を載置台として使用できる洗い場カウンターであって、上記前面板の裏面には洗面器係合手段８が設けられている。【選択図】図２
2005052309.tif 000002
【特許請求の範囲】
【請求項１】
浴室の壁面に接して設けられ、カウンター部と前面板と左右側面板とからなり、該前面板は、左右側面板に設けられた軸受けに支承される回転軸を中心に回動自在に軸支され、該前面板は垂直状態に設置されたときはカウンター部のエプロンとして機能するとともに、回動されて水平状態に設置されたときは上記前面板の裏面を載置台として使用できる洗い場カウンターであって、上記前面板の裏面には洗面器係合手段が設けられた浴室の洗い場カウンター。
【請求項２】
上記洗面器係合手段は、側面視Ｊ字型のフック型固定具とされるとともに、起倒自在に上記前面板の裏面に設けられた収納溝部に収納される請求項１に記載の浴室の洗い場カウンター。
【請求項３】
上記フック型固定具は、端部に垂直面回動自在なフック部を有するとともに、その全体が水平面回動自在とされた、請求項２に記載の浴室の洗い場カウンター。
【請求項４】
上記側面板の一つが浴槽エプロンである請求項１に記載の浴室の洗い場カウンター。
【請求項５】
上記側面板の一つが浴室側壁である請求項１に記載の浴室の洗い場カウンター。
【発明の詳細な説明】
【技術分野】
【０００１】
本発明は、浴室の洗い場カウンターに関する。さらに詳しくは、浴室の洗い場壁面に接して設置されるとともに、洗い場を広く使用することのできる洗い場カウンターの構造に関する。
【背景技術】
【０００２】
従来、浴室の洗い場の壁面に接してカウンターを設置し、このカウンターに石けんやシャンプー等の入浴用小物を置くことが一般的に行なわれており、その構造に関しても種々の技術が公知である。（例えば、特許文献１、２参照。）。
【特許文献１】特開２００１−１９８０４０号公報（第１−３頁、第１図、第４図、第５図）
【特許文献２】特開平１０−３１４０６５号公報（第１−４頁、第１図）
【発明の開示】
【発明が解決しようとする課題】
【０００３】
上記特許文献１には、とくに、椅子に座った高齢者等の要介護者に快適にシャワーを使ったり、身体を洗えるように、洗い場を広く使用して、介護者が移動し易くように改良された洗い場カウンターの構造が提案され、特許文献２には、下方に足入れ空間を設けた洗い場カウンターが提案されている。しかしながら、上記技術を適用しても、一般家庭における浴室において、直ちに、洗い場を広く使用することのできる洗い場カウンターを提供できるものとはいい難い。本発明は、このような問題を解決して、限られた洗い場内で、シャワーを使ったり、身体を洗うときに、洗い場のスペースを広く取ることができる洗い場カウンターを提供することを、その課題とする。
【課題を解決するための手段】
【０００４】
本発明は、上記課題を解決するために考え出されたものであって、つぎのような技術的手段を講じている。すなわち、本発明によれば、浴室の壁面に接して設けられ、カウンター部と前面板と左右側面板とからなり、該前面板は、左右側面板に設けられた軸受けに支承される回転軸を中心に回動自在に軸支され、該前面板は垂直状態に設置されたときはカウンター部のエプロンとして機能するとともに、回動されて水平状態に設置されたときは上記前面板の裏面を載置台として使用できる洗い場カウンターであって、上記前面板の裏面には洗面器係合手段が設けられた浴室の洗い場カウンターが提供される。
【０００５】
上記洗面器係合手段は、側面視Ｊ字型のフック型固定具とされるとともに、起倒自在に上記前面板の裏面に設けられた収納溝部に収納される。また、上記フック型固定具は、端部に垂直面回動自在なフック部を有するとともに、その全体が水平面回動自在とされることが好ましい。
【０００６】
上記側面板の一つが浴槽エプロンとされ、また、上記側面板の一つが浴室側壁とされることが好ましい。
【発明の効果】
【０００７】
本発明の請求項１に記載の浴室の洗い場カウンターは上記のとおりであり、とくに、前面板の裏面に洗面器係合手段が設けられているため、上記前面板の裏面に載置された洗面器を支え、移動したり、落ちることを防ぐ。
【０００８】
上記洗面器係合手段は、側面視Ｊ字型のフック型固定具とされるとともに、起倒自在に上記前面板の裏面に設けられた収納溝部に収納されるため、シャワーを使ったり、身体を洗うときに、洗い場を広く使用することができる。
【０００９】
上記フック型固定具は、端部に上下回動自在なフック部を有するとともに、その全体が水平面回動自在とされているため、上記前面板の裏面に載置した洗面器の位置に応じてフック型固定具を水平面回動させ、端部フック部を下方に回動して上記洗面器を支え、移動したり、落ちたりすることを防ぐ。
【００１０】
上記側面板の一つが浴槽エプロンとされているため、洗い場を広く使用することができる。また、上記側面板の一つが浴室側壁とされているため、洗い場を広く使用することができる。したがって、浴槽エプロンと浴室側壁との間に洗い場カウンターを設ければ、洗い場を効率的に使用することができる。
【発明を実施するための最良の形態】
【００１１】
以下、本発明の実施形態について図面を参照して、詳細に説明する。図１は
本発明にかかる浴室の洗い場カウンターＡを示す斜視図であり、図２は、上記の分解斜視図である。図１、図２からよくわかるように、合成樹脂成形品である洗い場カウンターＡは、浴室の壁面Ｗに接して設けられ、カウンター部２、前面板１および左側面板３１としての浴槽エプロン、右側面板３２としての浴室側壁から構成される。前面板１は、浴槽エプロンと浴室側壁とに設けられた軸受け４に支承される回転軸５を中心に回動自在に軸支されている。
【００１２】
図３は、図１のＸ−Ｘ線に沿う側断面図であり、通常は、図１、図３に示す状態で使用される。すなわち、前面板１は、上部ストッパー６で止められ、カウンター部２から垂下するように位置してカウンターエプロンとして機能する。また、載置台として使用するときは、図３に示す矢印方向に回動させ、図４に示すように、下部ストッパー７で係止する。このように、単に回動させるだけで、前面板１の裏面が載置台として機能し、洗面器を載置することができる。さらに、合成樹脂製の前面板１は滑りやすいため、載置された洗面器が移動したり、落ちることを防ぐため、載置台上に洗面器係合手段８が設けられる。
【００１３】
図５は、前面板１の裏面に設けられた洗面器係合手段８であるフック型固定具を示す斜視図である。上記フック型固定具は起立した状態で、図５に矢印で示すように、全体が水平面回動自在とされ、また、端部フック部８１が垂直面回動自在とされている。上記は、フック型固定具を起立させて使用する状態について説明したが、通常は倒されて、図５に示す前面板１の裏面に設けられた収納溝部１１に収納される。図６は、前面板１の裏面に載置された洗面器Ｓの上に、フック型固定具を回動させ、端部フック部８１を下方に回動して洗面器Ｓを固定した状態を示す側断面図である。図６から、洗面器Ｓがフック型固定具によって、前面板１の裏面上で移動したり、落ちることなく、しっかりと支えられていることが明らかである。
【図面の簡単な説明】
【００１４】
【図１】本発明にかかる浴室の洗い場カウンターを示す斜視図である。
【図２】本発明にかかる浴室の洗い場カウンターを示す分解斜視図である。
【図３】図１のＸ−Ｘ線に沿う側断面図である。
【図４】上記浴室の洗い場カウンターの前面板を載置台として使用する状態を示す側断面図である。
【図５】フック型固定具を示す斜視図である。
【図６】上記を用いて洗面器を固定した状態を示す側断面図である。
【符号の説明】
【００１５】
Ａ          本発明にかかる浴室の洗い場カウンター
１          前面板
１１        前面板の裏面に設けられた収納溝部
２          カウンター部
３１        左側面板
３２        右側面板
４          軸受け
５          回転軸
６          上部ストッパー
７          下部ストッパー
８          洗面器係合手段
８１        端部フック部
Ｗ          浴室壁面
Ｓ          洗面器
【図１】
2005052309.tif 000003
【図２】
2005052309.tif 000004
【図３】
2005052309.tif 000005
【図４】
2005052309.tif 000006
【図５】
2005052309.tif 000007
【図６】
2005052309.tif 000008